(57)【要約】【課題】バカラゲームの魅力や面白味を増大させる新たなベットエリアが形成されたバカラレイアウトを提供して、バカラゲームに使用されるバカラテーブルや、バカラ用ゲームマット、バカラ用ゲームソフト等の有用性を向上させ、それらの需要を増大させる。【解決手段】プレイヤーの勝利にベットするプレイヤーエリアＰ１〜Ｐ８と、バンカーの勝利にベットするバンカーエリアＢ１〜Ｂ８と、プレイヤーサイドとバンカーサイドに配られたカードの合計点数が同じ同点引き分けにベットする通常のタイエリアＴ１〜Ｔ８とは別途に、予め取り決めた特定合計点数（例えば、確率的に最も出にくいとされる合計点数「２」）での同点引き分けにベットする第２のタイエリアＳＴ１〜ＳＴ８が形成されている。【選択図】図１
0003168119.tif 000002
【実用新案登録請求の範囲】
【請求項１】
バカラゲームの遊技者がベットを行うプレイヤーエリア、バンカーエリアおよびタイエリアが形成されたバカラレイアウトにおいて、プレイヤーサイドとバンカーサイドに配られたカードの合計点数が同じ同点引き分けにベットする通常のタイエリアとは別途に、予め取り決めた特定合計点数での同点引き分けにベットする第２のタイエリアが形成されていることを特徴とするバカラレイアウト。
【請求項２】
前記第２のタイエリアに、特定合計点数を示す数字と、同点引き分けを示す「ＴＩＥ」又は「ＤＲＡＷ」の文字が付記されている請求項１記載のバカラレイアウト。
【請求項３】
前記第２のタイエリアに、「ＳＰＥＣＩＡＬ」又は「ＰＲＥＭＩＥＲ」の文字が付記されている請求項１又は２記載のバカラレイアウト。
【考案の詳細な説明】
【技術分野】
【０００１】
本考案は、バカラゲームを行うバカラテーブルの盤面、ゲームマットの表面、コンピュータゲーム用機器類のディスプレイ画面などに表示されるバカラレイアウトに関する。
【背景技術】
【０００２】
バカラは、ディーラーによってバンカーサイドとプレイヤーサイドに配られた２枚ないし３枚のカードの合計点数が多い方を勝者とする「バンカー（ＢＡＮＫＥＲ）」と「プレイヤー（ＰＬＡＹＥＲ）」との仮想二人による勝負について、遊技者が、その勝者あるいは引き分けを予想してベット（賭け）を行うゲームであり、当該ゲームを行うバカラテーブルの盤面やゲームマットの表面には、ディーラーがバンカーサイドとプレイヤーサイドとに振り分けてカードを配り置くカードエリアや、ゲームに参加する遊技者がチップを置いてベットを行うベットエリアなどを区画形成したバカラレイアウトが表示されている。
【０００３】
バカラレイアウトのベットエリアは、プレイヤーの勝利にベットする「プレイヤーエリア」と、バンカーの勝利にベットする「バンカーエリア」と、バンカーサイドとプレイヤーサイドに配られたカードの合計点数が同じ同点引き分けにベットする「タイエリア」との３種類があり、プレイヤーエリアにベットしてプレイヤーが勝利したときは、ベット額と等倍の配当が得られ、バンカーエリアにベットしてバンカーが勝利したときは、ベット額と等倍の額から一定割合（通常５％）のコミッションを差し引いた配当が得られ、また、タイエリアにベットして引き分けとなったときは、ベット額に一定の配当倍率（通常８倍）を乗じた配当が得られるルールになっている。なお、カードの合計点数の範囲は、最小０点から最大９点までの１０通りがあり、タイエリアにベットしたときは、０〜９の何れの合計点数で同点引き分けとなっても一定倍率の配当が得られるのが通常ルールである。
【０００４】
また、プレイヤーエリア、バンカーエリアおよびタイエリアは、バカラゲームに参加する遊技者に割り振られるポジション別に区画されて、その区画に対応する箇所にポジションを表示する通し番号「１」、「２」、「３」…が付記されると共に、プレイヤーエリアとバンカーエリアに、夫々「ＰＬＡＹＥＲ」の文字と「ＢＡＮＫＥＲ」の文字が付記され、タイエリアに、「ＴＩＥ」の文字と、配当倍率８倍を示す「８to１」ないし「９for１」の文字などが付記されている（特許文献１の図７参照）。
【先行技術文献】
【特許文献】
【０００５】
【特許文献１】特開２００８−２１２２８３号公報
【考案の概要】
【考案が解決しようとする課題】
【０００６】
本考案は、バカラテーブルやバカラ用ゲームマット、バカラ用ゲームソフト等の有用性を高めて、その需要増大を図るために、上記の如き通常のベットエリアに加えて、バカラゲームの魅力や面白味を倍増させることができる新規なベットエリアが形成されたバカラレイアウトを提供することを技術的課題としている。
【課題を解決するための手段】
【０００７】
上記課題を解決するために、本考案は、バカラゲームの遊技者がベットを行うプレイヤーエリア、バンカーエリアおよびタイエリアが形成されたバカラレイアウトにおいて、プレイヤーサイドとバンカーサイドに配られたカードの合計点数が同じ同点引き分けにベットする通常のタイエリアとは別途に、予め取り決めた特定合計点数での同点引き分けにベットする第２のタイエリアが形成されていることを特徴とする。
【考案の効果】
【０００８】
本考案に係るバカラレイアウトは、プレイヤーサイドとバンカーサイドに配られたカードの合計点数が同じ同点引き分けにベットする通常のタイエリア、すなわち０から９までの何れの合計点数で同点引き分けとなっても配当が得られるタイエリアとは別途に、予め取り決めた特定合計点数での同点引き分けにベットする第２のタイエリア、すなわち特定の合計点数で同点引き分けとなったときのみ配当が得られるタイエリアが形成されており、特定の合計点数で同点引き分けとなる確率は、０〜９の何れかの合計点数で同点引き分けとなる確率よりも格段に低いため、第２のタイエリアの配当倍率を通常のタイエリアの配当倍率よりも格段に高く設定して、バカラゲームの魅力や面白味を増大させることができるので、バカラテーブルやバカラ用ゲームマット、バカラ用ゲームソフト等の有用性を高めて、その需要増大を図ることができる。
【図面の簡単な説明】
【０００９】
【図１】本考案の実施例１に係るバカラレイアウトの全体図。
【図２】実施例１に係るバカラレイアウトの要部を示す図。
【図３】本考案の実施例２に係るバカラレイアウトの要部を示す図。
【図４】本考案の実施例３に係るバカラレイアウトの要部を示す図。
【図５】本考案の実施例４に係るコンピュータゲーム用バカラレイアウトの全体図。
【考案を実施するための形態】
【００１０】
本考案に係るバカラレイアウトの実施形態は、遊技者がベットを行うベットエリアとなるプレイヤーエリア、バンカーエリアおよびタイエリアが、バカラゲームに参加する遊技者に割り振られるポジション別に区画されて、その区画に対応する箇所にポジションを表示する通し番号「１」、「２」、「３」…が付記されている。
【００１１】
そして、タイエリアは、ディーラーによってプレイヤーサイドとバンカーサイドに配られたカードの合計点数が同じ同点引き分けにベットする通常のタイエリアに加えて、これとは別途に、予め取り決めた特定合計点数での同点引き分けにベットする第２のタイエリアが形成されている。
【００１２】
通常のタイエリアには、同点引き分けを示す「ＴＩＥ」又は「ＤＲＡＷ」の文字と、配当倍率が例えば８倍であることを示す「８to１」又は「９for１」の文字などが付記されている。
【００１３】
第２のタイエリアには、予め取り決めた特定合計点数を示す例えば「２」あるいは「１」などの数字と、同点引き分けを示す「ＴＩＥ」又は「ＤＲＡＷ」の文字が付記されたり、あるいは、通常のタイエリアと区別するために、特別・格別のタイエリアであることを示す「ＳＰＥＣＩＡＬ」の文字や、最高（最高配当）のタイエリアであることを示す「ＰＲＥＭＩＥＲ」の文字が付記されている
【実施例１】
【００１４】
図１及び図２に示す実施例１のバカラレイアウトは、バカラテーブルの盤面やバカラ用ゲームマットの表面に表示されるものであって、ディーラーの立ち位置側の中央に、ディーラーがプレイヤーサイド１ａとバンカーサイド１ｂに振り分けてカードを配るカードエリア１が形成され、当該カードエリア１のプレイヤーサイド１ａとバンカーサイド１ｂに、夫々「ＰＬＡＹＥＲ」の文字と「ＢＡＮＫＥＲ」の文字が付記されている。
【００１５】
そして、カードエリア１を左右両側から取り囲むように、バカラゲームに参加する遊技者に割り振られる計８のポジション別に区画されたプレーヤーエリアＰ１〜Ｐ８、バンカーエリアＢ１〜Ｂ８およびタイエリアＴ１〜Ｔ８が形成されると共に、ポジション別に区画された対応箇所に、各ポジションを表示するポジション番号「１」〜「８」が付記されている。
【００１６】
プレーヤーエリアＰ１〜Ｐ８は、ポジション番号「１」〜「４」が付記されたエリアＰ１〜Ｐ４側と、ポジション番号「５」〜「８」が付記されたエリアＰ５〜Ｐ８側とに二分されて、その双方側に、プレイヤーの勝利にベットするプレイヤーエリアであることを示す「ＰＬＡＹＥＲ」の文字が付記されている。
【００１７】
バンカーエリアＢ１〜Ｂ８は、プレーヤーエリアＰ１〜Ｐ４の内側に沿って形成されるエリアＢ１〜Ｂ４側と、プレーヤーエリアＰ５〜Ｐ８の内側に沿って形成されるエリアＢ５〜Ｂ８側とに二分されて、その双方側に、バンカーの勝利にベットするバンカーエリアであることを示す「ＢＡＮＫＥＲ」の文字が付記されている。
【００１８】
タイエリアＴ１〜Ｔ８は、ディーラーによってカードエリア１のプレイヤーサイド１ａとバンカーサイド１ｂに配られたカードの合計点数が同じ同点引き分けにベットする通常のタイエリアであって、バンカーエリアＢ１〜Ｂ４の内側に沿って形成されるエリアＴ１〜Ｔ４側と、バンカーエリアＢ５〜Ｂ８の内側に沿って形成されるエリアＴ５〜Ｔ８側とに二分されて、その双方側に、同点引き分けにベットするタイエリアであることを示す「ＴＩＥ」の文字と、配当倍率８倍を示す「８to１」の文字が付記されると共に、タイエリアＴ１〜Ｔ８内に、ポジション番号「１」〜「８」が付記されている。
【００１９】
そして、通常のタイエリアＴ１〜Ｔ８に囲まれたバカラレイアウト中央部のスペースに、合計点数「０」から「９」までの１０通りがある同点引き分けの中で確率的に最も低いとされる合計点数「２」での同点引き分けにベットする第２のタイエリアＳＴ１〜ＳＴ８が形成されている。
【００２０】
第２のタイエリアＳＴ１〜ＳＴ８は、ポジション番号「１」〜「８」が記入された計８の升目枠で形成されると共に、ポジション番号「１」〜「４」が記入された計４の升目枠を一列に連ねたエリアＳＴ１〜ＳＴ４側と、ポジション番号「５」〜「８」が記入された計４の升目枠を一列に連ねたエリアＳＴ５〜ＳＴ８側とに二分されて、その双方側に、特定合計点数「２」での同点引き分けにベットするタイエリアであることを示す「２−ＴＩＥ」の文字と、配当倍率が例えば１００倍であることを示す「１００to１」の文字とが付記されている。なお、特定合計点数は、「２」に限らず、「２」に次いで確率が低いとされる「１」や、その他の点数であってもよい。また、予め取り決める特定合計点数は、一つのみに限らず、複数であってもよい。
【００２１】
また、図２の破線円内に示す如く、第２のタイエリアＳＴ１〜ＳＴ８に、最高（最高配当）のタイエリアであることを示す「ＰＲＥＭＩＥＲ」の文字が付記されていれば、通常のタイエリアＴ１〜Ｔ８と明確に区別することができると同時に、遊技者の興味や射幸心をそそってベットを促すことができる。
【実施例２】
【００２２】
図３に示す実施例２のバカラレイアウトは、第２のタイエリアＳＴ１〜ＳＴ８が、ポジション番号「１」〜「８」が記入された計８の升目枠を一列に連ねて形成されると共に、通常のタイエリアＴ１〜Ｔ８とは異なる特別・格別のタイエリアであることを示す「ＳＰＥＣＩＡＬ」の文字と「ＴＩＥ」の文字とが付記され、特定合計点数を表示する数字や配当倍率を示す文字が付記されていない点で、実施例１のバカラレイアウトと相違し、その他の構成は、実施例１のバカラレイアウトと共通している。
【００２３】
実施例２のバカラレイアウトは、第２のタイエリアＳＴ１〜ＳＴ８に、特別・格別のタイエリアであることを示す「ＳＰＥＣＩＡＬ」の文字ないし「ＳＰＥＣＩＡＬ  ＴＩＥ」の文字が付記されているので、当該タイエリアＳＴ１〜ＳＴ８を通常のタイエリアＴ１〜Ｔ８と明確に区別することができる。また、第２のタイエリアＳＴ１〜ＳＴ８には、特定合計点数を表示する数字や配当倍率を示す文字が付記されていないので、特定合計点数や配当倍率を任意に取り決めることができる。
【実施例３】
【００２４】
図４に示す実施例３のバカラレイアウトは、同一ポジションに属する通常のタイエリアＴ１と第２のタイエリアＳＴ１（およびＴ２とＳＴ２、Ｔ３とＳＴ３、Ｔ４とＳＴ４、Ｔ５とＳＴ５、Ｔ６とＳＴ６、Ｔ７とＳＴ７、Ｔ８とＳＴ８）が、ポジション番号を挟んで互いに隣接して形成されると共に、夫々に通常のタイエリアであることを示す「ＴＩＥ」の文字と特別・格別のタイエリアであることを示す「ＳＰＥＣＩＡＬ」ないし「ＳＰＥＣＩＡＬ  ＴＩＥ」の文字が付記されている点で、実施例２のバカラレイアウトと相違し、その他の構成は実施例２のバカラレイアウトと共通している。
【実施例４】
【００２５】
図５に示す実施例４のバカラレイアウトは、インターネット通信網を介してライブバカラやオンラインバカラと称するバカラゲームを行うパソコンやゲーム機等のディスプレイ画面に表示されるコンピュータゲーム用のバカラレイアウトであって、図示の如くプレイヤーサイド１ａとバンカーサイド１ｂとに振り分けて配られるカードの画像が表示されるカードエリア１と、プレイヤーの勝利にベットするプレイヤーエリアＰと、バンカーの勝利にベットするバンカーエリアＢと、プレイヤーサイド１ａとバンカーサイド１ｂに配られたカードの合計点数が同じ同点引き分けにベットする通常のタイエリアＴと、予め取り決めた特定合計点数での同点引き分けにベットする第２のタイエリアＳＴとが形成されている。
【００２６】
カードエリア１のプレイヤーサイド１ａとバンカーサイド１ｂは、夫々方形の枠線で囲われてその外側に「ＰＬＡＹＥＲ」の文字と「ＢＡＮＫＥＲ」の文字が表示されている。また、プレイヤーエリアＰは、Ｕ字形に形成されて「ＰＬＡＹＥＲ」の文字が表示され、バンカーエリアＢは、プレイヤーエリアＰの内側に納まるＵ字形に形成されて「ＢＡＮＫＥＲ」の文字が表示され、当該バンカーエリアＢの内側のスペースが左右に二分されて、その左右に通常のタイエリアＴと第２のタイエリアＳＴが形成されている。また、通常のタイエリアＴには、「ＴＩＥ」の文字と、配当倍率８倍を示す「９for１」の文字が表示され、第２のタイエリアＳＴには、「ＳＰＥＣＩＡＬ  ＴＩＥ」の文字が表示されている。
【産業上の利用可能性】
【００２７】
本考案は、バカラテーブルやバカラ用ゲームマット、バカラ用ゲームソフト等の有用性を高めて、これらの需要増大に資するものである。
【符号の説明】
【００２８】
１…カードエリア
１ａ…プレイヤーサイド
１ｂ…バンカーサイド
Ｐ１〜Ｐ８…プレイヤーエリア
Ｂ１〜Ｂ８…バンカーエリア
Ｔ１〜Ｔ８…通常のタイエリア
ＳＴ１〜ＳＴ８…第２のタイエリア
Ｐ…プレイヤーエリア
Ｂ…バンカーエリア
ＳＴ…第２のタイエリア
【図１】
0003168119.tif 000003
【図２】
0003168119.tif 000004
【図３】
0003168119.tif 000005
【図４】
0003168119.tif 000006
【図５】
0003168119.tif 000007